(57)【要約】  本発明は、移動通信システムにおいてワイヤレス・メッセージ通信装置を検査する方法、システム、及びコンピュータ・プログラムに関する。本発明は、物理的タイム・スロットを収容する検査信号を発生し（６０４）、移動通信システムの基地送受信局からメッセージ通信装置へのシステム情報の送信のために、タイム・スロットの内少なくとも１つを割り当て、移動通信システムが対応する同期シーケンスを、システム情報の送信のために割り当てられているタイム・スロット内に位置付ける（６０６）ことから成る。本発明の解決策によれば、同期に用いられる信号部分の平均電力を増大させ、同期に用いられる時間を短縮し、これにより検査ラインの性能を向上させることができる。
2007520130.tif 000002
【特許請求の範囲】
【請求項１】
移動通信システムにおいてワイヤレス・メッセージ通信装置の受信機を検査する方法であって、
物理的タイム・スロットを含む検査信号を発生するステップであって、前記移動通信システムの基地送受信局から前記メッセージ通信装置へのシステム情報の送信のために、前記タイム・スロットの内少なくとも１つが割り当てられている、検査信号発生ステップ（６０４）を含み、
前記移動通信システムによってサポートされる同期シーケンスを、システム情報の送信のために割り当てられているタイム・スロット内に配置する（６０６）ステップを含んでいる
ことを特徴とする方法。
【請求項２】
請求項１記載の方法において、
前記検査信号を無線周波数に変換するステップ（６０８）と、
前記無線周波数で前記検査信号を前記受信機に送信するステップ（６１０）と
を含んでいることを特徴とする方法。
【請求項３】
請求項１記載の方法において、前記移動通信システムによりサポートされる周波数同期シーケンスを、システム情報の送信のために割り当てられているタイム・スロット内に配置するステップ（６０６）と、
前記検査信号から、前記周波数同期シーケンスを特定するステップ（７２０）と、
前記周波数同期シーケンスによって、前記受信機の周波数同期を取るステップ（７２２）と
を含んでいることを特徴とする方法。
【請求項４】
請求項１記載の方法において、
前記移動通信システムによってサポートされる時間同期シーケンスを、システム情報の送信のために割り当てられているタイム・スロット内に配置するステップ（６０６）と、
前記検査信号から、前記時間同期シーケンスを特定するステップ（７２６）と、
前記時間同期シーケンスによって、前記受信機の時間同期を取るステップ（７２８）と
を含んでいることを特徴とする方法。
【請求項５】
請求項１記載の方法において、
前記移動通信システムによってサポートされる周波数同期シーケンスを、システム情報の送信のために割り当てられている最初のタイム・スロット内に配置するステップ（６０６）と、
前記移動通信システムによってサポートされている時間同期シーケンスを、システム情報の送信のために割り当てられている２番目のタイム・スロット内に配置するステップであって、前記最初のタイム・スロットの前縁と前記２番目のタイム・スロットの前縁との間の間隔が８タイム・スロットとなるようにするステップ（６０６）と
を含んでいることを特徴とする方法。
【請求項６】
請求項１記載の方法において、
システム情報の送信のために割り当てられた複数のタイム・スロットを有する、５１フレームからなる多重フレームを含む検査信号を発生するステップ（６０４）と、
前記移動通信システムによってサポートされる同期シーケンスを、システム情報の送信のために割り当てられているタイム・スロット内に配置するステップであって、前記同期シーケンスを前記５１フレームからなる多重フレームにおいて少なくとも１１回繰り返すようにする、配置ステップ（６０６）と
を含んでいることを特徴とする方法。
【請求項７】
請求項１記載の方法において、
前記検査信号内に検査シーケンスを配置するステップ（７０２）と、
前記検査信号を受信するステップ（７０４）と、
前記検査信号から前記検査シーケンスを特定するステップ（７０６）と、
前記検査信号によって、前記受信機を特徴付ける変数を発生するステップ（７０８）と、
前記ワイヤレス・メッセージ通信装置から、前記受信機特徴付け変数を含んでいる信号を送信するステップ（７１０）と、
前記ワイヤレス・メッセージ通信装置からの前記受信機特徴付け変数を収容した信号を受信するステップ（７１２）と
を含んでいることを特徴とする方法。
【請求項８】
請求項１記載の方法において、前記移動通信システムによってサポートされる同期シーケンスを、システム情報の送信のために割り当てられているタイム・スロット内に配置するステップ（６０６）を含み、前記同期シーケンスは、ＧＳＭ規格に準拠する同期チャネル（ＳＣＨ）の訓練シーケンス・コード、ＧＳＭ規格に準拠する周波数相関チャネル（ＦＣＣＨ）のビットの内少なくとも１つを含んでいることを特徴とする方法。
【請求項９】
請求項１記載の方法において、前記受信機のアンテナ接続を介して、前記検査信号を前記受信機に送信するステップ（６１０）を含んでいることを特徴とする方法。
【請求項１０】
請求項１記載の方法において、該方法は、コンピュータ・プログラムをワイヤレス・メッセージ通信装置にローディングするステップ（６０２）を含み、前記コンピュータ・プログラムは、
前記検査信号を入力として受信するステップと、
前記検査信号から前記同期シーケンスを特定するステップと、
前記同期シーケンスによって前記受信機の同期を取るステップと
を含んでいるコンピュータ・プロセスを実行するよう構成されている
ことを特徴とする方法。
【請求項１１】
請求項１記載の方法において、
前記検査信号から前記同期シーケンスを特定するステップ（６１２）と、
前記同期シーケンスによって、前記受信機の同期を取るステップ（６１４）と
を含んでいることを特徴とする方法。
【請求項１２】
移動通信システムのワイヤレス・メッセージ通信装置の受信機を検査するシステムであって、
検査信号（１０６）を発生する検査信号発生器であって、前記検査信号（１０６）は物理的タイム・スロット（４Ａ〜４Ｊ）を含み、該タイム・スロットの少なくとも１つ（４Ａ、４Ｊ）が、前記移動通信システムの基地送受信局から前記メッセージ通信装置（１１２）へのシステム情報の送信のために割り当てられる、検査信号発生器（１０２）を備え、
前記検査信号発生器（１０２）が、前記移動通信システムによってサポートされる同期シーケンスを、システム情報の送信に割り当てられているタイム・スロット（４Ａ、４Ｊ）内に配置するように構成されている
ことを特徴とするシステム。
【請求項１３】
請求項１２記載のシステムにおいて、該システムは更に、
前記検査信号発生器に接続され、前記検査信号（１０６）を無線周波数に変換する変換手段（１０４）と、
前記変換手段（１０４）に接続され、前記検査信号を前記無線周波数で前記受信機に送信する送信手段（１１０）と
を備えていることを特徴とするシステム。
【請求項１４】
請求項１３記載のシステムにおいて、前記送信手段（１１０）が前記ワイヤレス・メッセージ通信装置のアンテナ・コネクタに接続されていることを特徴とするシステム。
【請求項１５】
請求項１２記載のシステムにおいて、前記検査信号発生器（１０２）は、前記移動通信システムによってサポートされる時間同期シーケンス、前記移動通信システムによってサポートされる周波数同期シーケンスの一方を、システム情報の送信のために割り当てられているタイム・スロット（４Ａ、４Ｊ）内に配置するよう構成されていることを特徴とするシステム。
【請求項１６】
請求項１２記載のシステムにおいて、前記検査信号発生器（１０２）は、前記移動通信システムによってサポートされる周波数同期シーケンスを、システム情報の送信のために割り当てられている最初のタイム・スロット（４Ａ）内に配置するよう構成されており、
前記検査信号発生器（１０２）は、前記移動通信システムによってサポートされる時間同期シーケンスを、システム情報の送信のために割り当てられている２番目のタイム・スロット（４Ｊ）内に、１番目のタイム・スロットの前縁と２番目のタイム・スロットの前縁との間隔が８タイム・スロットとなるように配置するよう構成されている
ことを特徴とするシステム。
【請求項１７】
請求項１２記載のシステムにおいて、
前記検査信号発生器（１０２）は、５１フレームからなる多重フレーム（５００）を含む検査信号（１０６）を発生するように構成されており、前記５１フレームの多重フレームは、システム情報の送信のために割り当てられた複数のタイム・スロット（５Ｃ、５Ｄ）を有し、
前記検査信号発生器（１０２）は、前記移動通信システムによってサポートされる同期シーケンスを、システム情報の送信のために割り当てられているタイム・スロット（５Ｃ、５Ｄ）内に、前記同期シーケンスが前記５１フレームの多重フレーム内において少なくとも１１回繰り返すように配置するよう構成されている
ことを特徴とするシステム。
【請求項１８】
請求項１２記載のシステムにおいて、前記検査信号発生器（１０２）は、検査シーケンスを前記検査信号（１０６）内に配置するように構成されており、検査シーケンスから前記受信機は、該受信機を特徴付ける変数を発生するよう構成されていることを特徴とするシステム。
【請求項１９】
請求項１２記載のシステムにおいて、前記検査信号発生器（１０２）は、前記移動通信システムによってサポートされる同期シーケンスを、システム情報の送信のために割り当てられているタイム・スロット（４Ａ、４Ｊ）内に配置するよう構成されており、前記同期シーケンスは、ＧＳＭ規格に準拠した同期チャネル（ＳＣＨ）の訓練シーケンス・コード、ＧＳＭ規格に準拠した周波数訂正チャネル（ＦＣＣＨ）のビットの少なくとも１つを含んでいることを特徴とするシステム。
【請求項２０】
請求項１２記載のシステムにおいて、該システムは更に、前記ワイヤレス・メッセージ通信装置から、前記受信機を特徴付ける変数を収容する信号（１２６）を受信する接続ユニット（１３４）を備えていることを特徴とするシステム。
【請求項２１】
請求項１２記載のシステムにおいて、該システムは、コンピュータ・プログラムを前記ワイヤレス・メッセージ通信装置にロードするローディング・ユニット（１４４）を備えており、前記コンピュータ・プログラムは、
前記検査信号を入力として受信するステップと、
前記検査信号から前記同期シーケンスを特定するステップと、
前記同期シーケンスによって前記受信機の同期を取るステップと
を含んでいるコンピュータ・プロセスを実行するよう構成されていることを特徴とするシステム。
【請求項２２】
移動通信システムにおいてワイヤレス・メッセージ通信装置の受信機を検査するコンピュータ・プロセスを実行するコンピュータ・プログラムであって、前記コンピュータ・プロセスが、
物理的タイム・スロットを含む検査信号を入力として受信するステップであって、物理的タイム・スロットの少なくとも１つを、前記移動通信システムの基地送受信局から前記メッセージ通信装置へのシステム情報の送信のために割り当て、前記移動通信システムによってサポートされる同期シーケンスを、このタイム・スロットの中に配置する、ステップ（６１０Ｂ）と、
前記検査信号から前記同期シーケンスを特定するステップ（６１２）と、
前記同期シーケンスによって、前記受信機の同期を取るステップ（６１４）と
を含んでいることを特徴とするコンピュータ・プログラム。
【請求項２３】
請求項２２記載のコンピュータ・プログラムにおいて、前記コンピュータ・プロセスが、
前記検査信号を入力として受信するステップであって、システム情報の送信のために割り当てられているそのタイム・スロットの少なくとも１つの中に、周波数同期シーケンスを配置するステップ（７１８）と、
前記検査信号から前記周波数同期シーケンスを特定するステップ（７２０）と、
前記周波数同期シーケンスによって、前記受信機の周波数同期を取るステップ（７２２）と
を含んでいることを特徴とするコンピュータ・プログラム。
【請求項２４】
請求項２２記載のコンピュータ・プログラムにおいて、前記コンピュータ・プロセスが、
前記検査信号を入力として受信するステップであって、システム情報の送信のために割り当てられているそのタイム・スロットの少なくとも１つの中に、時間同期シーケンスが配置されている、ステップ（７２４）と、
前記検査信号から前記時間同期シーケンスを特定するステップ（７２６）と、
前記時間同期シーケンスによって、前記受信機の時間同期を取るステップ（７２８）と
を含んでいることを特徴とするコンピュータ・プログラム。
【請求項２５】
請求項２２記載のコンピュータ・プログラムにおいて、前記コンピュータ・プロセスが、
システム情報の送信のために割り当てられた複数のタイム・スロットを有する、５１フレームからなる多重フレームを含んでいる検査信号を入力として受信するステップであって、前記移動通信システムによってサポートされる同期シーケンスが、前記５１フレームの多重フレームにおける前記同期シーケンスの繰り返しを、７回、１１回の少なくとも一方の回数繰り返すよう、前記タイム・スロット内に配置されている、ステップ（６１０Ｂ）と、
前記同期シーケンスによって、前記受信機の同期を取るステップ（６１４）と
を含んでいることを特徴とするコンピュータ・プログラム。
【請求項２６】
請求項２２記載のコンピュータ・プログラムにおいて、前記コンピュータ・プロセスが、
検査シーケンスを含む検査信号を入力として受信するステップ（７０４）と、
前記検査信号から前記検査シーケンスを特定するステップ（７０６）と、
前記検査シーケンスによって、前記受信機を特徴付ける変数を発生するステップ（９０９）と、
前記受信機を特徴付ける変数を含む信号を、前記ワイヤレス・メッセージ通信装置の外部バスに出力するステップ（７１０）と
を含んでいることを特徴とするコンピュータ・プログラム。
【請求項２７】
請求項２２記載のコンピュータ・プログラムにおいて、前記コンピュータ・プロセスは、物理的タイム・スロットを収容する前記検査信号を入力として受信するステップ（６１０Ｂ）を含み、物理的タイム・スロットの少なくとも１つが、前記基地送受信局から前記メッセージ通信装置へのシステム情報の送信のために割り当てられており、前記移動通信システムによってサポートされる同期シーケンスを、前記タイム・スロットの中に配置し、前記同期シーケンスは、ＧＳＭ規格に準拠する同期チャネル（ＳＣＨ）の訓練シーケンス・コード、ＧＳＭ規格に準拠する周波数相関チャネル（ＦＣＣＨ）のビットの内少なくとも１つから成ることを特徴とするコンピュータ・プログラム。
【発明の詳細な説明】
【技術分野】
【０００１】
本発明は、ワイヤレス・メッセージ通信装置を検査する方法、システム、及びコンピュータ・プログラムに関する。
【背景技術】
【０００２】
移動通信システムの移動電話機のようなワイヤレス・メッセージ通信装置の検査は、ワイヤレス・メッセージ通信装置の生産プロセス及び保守において重要な役割を果たす。重大な検査工程の１つには、ワイヤレス・メッセージ通信装置の受信機の性能を検査し、特徴付けることが伴う。
ワイヤレス・メッセージ通信装置の受信機は、移動通信システムの基地送受信局をエミュレートする検査シミュレータにおいて検査信号を発生し、検査信号を受信機に供給することによって検査することができる。検査信号は、通例、同期シーケンスを収容しており、これによって、受信機を受信した信号と同期させる。同期を取った後、受信機は、検査シーケンスを受信することができ、これによって受信機を特徴付けることができる。
同期を取るために用いられる時間は、ワイヤレス・メッセージ通信装置の受信機を検査する際に重要な役割を果たす。このため、同期に用いられる時間を短縮することができる技法を検討することは、十分に価値があることである。
【発明の開示】
【発明が解決しようとする課題及び該課題を解決するための手段】
【０００３】
本発明の目的は、移動メッセージ通信装置の検査時間を短縮することができる方法、システム、及びコンピュータ・プログラムを実現することである。このような目的を達成するために、移動通信システムにおいてワイヤレス・メッセージ通信装置の受信機を検査する方法は、物理的タイム・スロットを収容する検査信号を発生し、移動通信システムの基地送受信局からメッセージ通信装置へのシステム情報の送信のために、タイム・スロットの内少なくとも１つを割り当て、移動通信システムが対応する同期シーケンスを、システム情報の送信のために割り当てられているタイム・スロット内に位置付ける。
【０００４】
また、本発明の目的は、移動通信システムにおいてワイヤレス・メッセージ通信装置の受信機を検査するシステムを提供することであり、検査信号を発生する検査信号発生器を備えており、検査信号は物理的タイム・スロットを収容し、タイム・スロットの少なくとも１つを、移動通信システムの基地送受信局からメッセージ通信装置へのシステム情報の送信のために割り当て、検査信号発生器が、移動通信システムが対応する同期シーケンスを、システム情報の送信に割り当てられているタイム・スロット内に位置付けるように構成されている。
【０００５】
また、本発明の目的は、移動通信システムにおいてワイヤレス・メッセージ通信装置の受信機を検査するコンピュータ・プロセスを実行するコンピュータ・プログラムを提供することであり、コンピュータ・プロセスが、物理的タイム・スロットを収容する検査信号を入力として受信し、物理的タイム・スロットの少なくとも１つを、移動通信システムの基地送受信局からメッセージ通信装置へのシステム情報の送信のために割り当て、移動通信システムが対応する同期シーケンスをこのタイム・スロットの中に位置付けるステップと、検査信号から同期シーケンスを特定するステップと、同期シーケンスによって、受信機の同期を取るステップとを備えている。
【０００６】
本発明の好適な実施形態は、従属項に記載されている。
本発明による方法及びシステムによって、複数の利点が得られる。システム情報の送信のために割り当てられたタイム・スロット内に同期シーケンスを位置付けることによって、同期シーケンスの電力の時間平均が増大し、これによって同期が高速化し、信頼性も高まる。その結果、メッセージ通信装置の検査ラインの処理能力が高まる。
【発明を実施するための最良の形態】
【０００７】
これより、好適な実施形態に関連付けて、添付図面を参照しながら本発明について更に詳しく説明する。
図１の例を参照すると、本発明による検査システム１００は、移動通信システムにおけるワイヤレス・メッセージ通信装置１１２の受信機１１４を検査する検査信号１０６を発生する検査信号発生器１０２を備えている。検査信号発生器１０２が発生する検査信号は、例えば、デジタル・ベースバンド信号とするとよい。
検査システム１００がなすべき機能の１つは、検査信号１０６を発生することであり、これによって、制御された条件の下において移動通信システムの信号をシミュレートする。このため、周波数やフレーム構造のような、検査信号１０６の特性の一部は、一般に、ＧＳＭ（移動通信用グローバル・システム）規格のような、移動通信システム規格に準拠する。
【０００８】
ワイヤレス・メッセージ通信装置１１２は、一般に、大規模生産において製造された電子装置であり、この装置は、無線受信機を備えており、無線リンクを通じて移動通信ネットワークの基地送受信局と通信する。ワイヤレス・メッセージ通信装置１１２は、例えば、移動電話機、無線モデム又は携帯用コンピュータとすることができる。しかしながら、本解決策は、列挙した例に限定される訳ではない。
【０００９】
ワイヤレス・メッセージ通信装置１１２の受信機１１４を検査する際、通常、無線周波数部１１８の感度、ノイズ耐性及びノイズ指数を特徴付ける。加えて、検査は、受信機１１４の較正、受信機振幅の調節及び／又は較正表の作成を含むこともできる。しかしながら、本発明による解決策は、列挙した尺度に限定されるのではなく、ワイヤレス・メッセージ通信装置１１２の受信機チェーン(receiver chain)のいずれの部分でも特徴付けるために用いることができる。検査は、例えば、ワイヤレス・メッセージ通信装置１１２の生産及び／又は保守段階において実施することができる。
ワイヤレス・メッセージ通信装置１１２の無線周波数部１１８は、通常、無線周波数フィルタ、低ノイズ増幅器、ダウンコンバータ及び復調器を備えている。
【００１０】
一実施形態では、検査システム１００は、検査信号１０６を無線通信システムが用いる無線周波数に変換する無線周波数ユニット１０４を備えている。無線周波数は、例えば、ＧＳＭキャリア周波数から選択可能とするとよい。一実施形態では、無線周波数ユニット１０４は、検査信号発生器１０２の一部として一体化されている。
【００１１】
図１は伝送線１１０も示し、これによって検査信号１０６を受信機１１４に供給する。伝送線１１０は、例えば、メッセージ通信装置１１２のアンテナ・コネクタ１２２に接続されている同軸ケーブルとするとよい。このような場合、検査信号１０６は、比較的少ない送信損失及び送信干渉で、メッセージ通信装置１１２の受信機１４に供給することができ、これによって、検査システム１００による受信機１１４の高精度の特徴付けを達成する。
【００１２】
一実施形態では、検査システム１００は、検査信号発生器１０２を制御する制御ユニット１４６を備えている。制御ユニット１４６は、例えば、検査信号発生器１０２に、検査コマンド信号１４８を送信することができ、検査コマンド信号１４８が検査信号発生器１０２において検査シーケンスを開始させ、このシーケンスにおいて検査信号１０６を発生し、ワイヤレス・メッセージ通信装置１１２に送信する。
【００１３】
制御ユニット１４６は、検査システム１００の外部からの制御信号１５４を送信及び／又は受信することもできる。制御信号１５４によって、検査シーケンスを開始することができ、又は、検査システムに、例えば、ワイヤレス・メッセージ通信装置１１２の検査の準備ができていることを通知することができる。制御信号１５４によって、検査結果を検査システム１００外部に知らせることも可能になる。
【００１４】
制御ユニット１４６は、ランダム・アクセス・メモリ（ＲＡＭ）、リード・オンリ・メモリ（ＲＯＭ）又はハード・ディスクのような、メモリ手段を備えるとよい。更に、制御ユニット１４６は、デジタル・プロセッサ及びコンピュータ・プログラムも備えるとよい。一実施形態では、制御ユニット１４６は、受信機１１４以外の機能ユニットの検査機能も備えている、更に大きな検査システムの制御ユニット内に一体化する。
【００１５】
図２の例を参照すると、検査信号発生器１０２は、メモリ・ユニット２０２、及びメモリ・ユニット２０２に接続されている変調器２０６を備えることができる。移動通信システムが対応する同期シーケンスに収容されているビット・ストリング２０４を、メモリ・ユニット２０２に格納することができ、このビット・ストリングを変調器２０６において変調する。その結果、ＧＭＳＫ（ガウス最少偏移変調(Gaussian Minimum Shift Keying)）のような変調方法に準拠した波形を有するベースバンド検査信号１０６を発生する。波形の帯域幅は、例えば、０〜３００ｋＨｚとするとよいが、本発明の解決策はこの帯域幅に限定される訳ではない。図３の例を参照すると、無線周波数ユニット１０４は、アップコンバータ３０２を備えており、例えば、位相ロック・ループ３０８から受信した無線周波数信号３１０を用いて、ベースバンド検査信号１０６を無線周波数に変換する。
【００１６】
位相ロック・ループ３０８は、検査コマンド信号１４８を受信することができ、これによって、位相ロック・ループが発生した無線周波数信号３１０の周波数、したがって検査信号１０６のキャリア波の周波数を決定する。
更に、検査信号１０６は、増幅ユニット３０４にも供給することができ、ここで検査信号１０６を所望の電力に増幅する。電力制御は、例えば、検査コマンド信号によって制御して、実施することができる。
本発明の一実施形態では、無線周波数ユニット１０４は無線周波数フィルタ３０６を備えており、例えば、アップコンバジョンにおいて発生した有害な信号成分を減衰させる。
【００１７】
更に図１を参照すると、ワイヤレス・メッセージ通信装置１１２の無線周波数部１１８は、無線周波数検査信号１０６をベースバンドに変換し、ベースバンド検査信号１０６を特徴抽出ユニット１１６に供給することができる。特徴抽出ユニット１１６は、例えば、検査信号１０６内に位置付けられている検査シーケンスの信号レベル及び／又はノイズ・レベルを判定することによって、検査信号１０６を分析する。
【００１８】
検査信号１０６の特徴付けに先だって、検査信号１０６の一部を同期ユニット１０８に供給する。同期ユニット１０８は、検査信号１０６の同期シーケンスを特定し、同期シーケンスによって同期信号１２０を発生する。同期信号１２０は、特徴抽出ユニット１１６に供給される。特徴抽出ユニット１１６は、検査信号１０６と同期を取り、検査信号１０６から検査シーケンス及びその他の必要な部分を特定し、受信機１１４を特徴付けることができる。
【００１９】
同期を取る際、通常、検査信号１０６の同期シーケンスを、メッセージ通信装置１１２において再プログラムされた基準シーケンスと相関付けることによって行われ、基準シーケンスは、同期シーケンスと同一であってもよい。移動通信システムが同期シーケンスに対応する場合、同期シーケンスをメッセージ通信装置１１２のメモリ１３６内に予め格納しておいてもよい。
【００２０】
受信機１１４の同期の結果として、特徴抽出ユニット１１６は、ビット・エラー・レート（ＢＥＲ）のような、受信機１１４を特徴付ける変数を発生する。本発明の一実施形態では、特徴抽出ユニット１１６は、受信機１１４を特徴付ける変数を収容する信号１２６を発生する。この信号は、デジタル形態で、メセージ通信装置１１２の外部バス１４０に出力される。外部バス１４０は、例えば、メッセージ通信装置１１２の後部コネクタでもよい。
【００２１】
一実施形態では、検査システム１００は、接続ユニット１３４を備えており、これを介して検査システム１００を、例えば、メッセージ通信装置１１２の外部バス１４０に接続することができる。接続ユニット１３４は、受信機１１４を特徴付ける変数を収容する信号１２６を受信し、信号１２６又はこの心房の一部を検査システム１００の制御ユニット１４６に送信することができる。
【００２２】
図４Ａを参照して、一例として、フレーム構造３００について検討する。この構造は、少なくとも２つの８タイム・スロット・フレーム４０２及び４０４を備えており、その境界を垂直線で示す。この例は、フレーム４０２の物理的なタイム・スロット４Ａ〜４Ｈを示す。フレーム４０４に関しては、０タイム・スロット、即ち、フレーム構造の最初のタイム・スロット４Ｊが示されており、これらのタイム・スロットには０〜７が付番されている。ＧＳＭバーストのような、バースト状出力を、通例、各物理的タイム・スロット４Ａ〜４Ｊ内に位置付けることができる。
【００２３】
検査信号４００のタイム・スロット４Ａ〜４Ｊは、ＧＳＭシステムのような、移動通信システムのシステム規格に基づいて、基地送受信局からワイヤレス・メッセージ通信装置までのシステム情報（ＳＩ）の送信のために割り当てられる。システム情報は、通例、移動通信システムのパラメータで形成されており、これらによって、ワイヤレス・メッセージ通信装置１１２は、移動通信システムに接続されたときに、必要な機能を所望道理に実行する。このような機能は、例えば、無線周波数のクロスオーバ及び選択とすることができる。同期シーケンスとシステム情報との間の相違の１つは、同期シーケンスがパラメータ形式の情報を収容していないことにあり、情報の送信は、通常、所定のビット順序に基づく。更に、同期シーケンスを処理するには、同期シーケンスの前に、システム情報を送信する必要がない。これは、同期シーケンスの処理は、ワイヤレス・メッセージ通信装置において予めプログラムされている命令に基づいて行われるからである。更に、検査信号４００は、システム規格にしたがって、タイム・スロット内に同期シーケンスを収容することもできる。
【００２４】
一実施形態では、システム情報の送信のために割り当てられるタイム・スロット４Ａ、４Ｊは、ＧＳＭシステムのブロードキャスト制御チャネル（ＢＣＣＨ）のタイム・スロットであり、通常、８タイム・スロット・フレーム構造における０タイム・スロットである。別の実施形態では、１タイム・スロット、即ち、タイム・スロット４Ｂも、例えば、ＧＳＭ仕様にしたがってＧＣＣＨチャネルに割り当てられる。
【００２５】
図４Ｂにおけるフレーム構造４０６の例を参照すると、移動通信システムが対応する同期シーケンス（ＦＳ、ＴＳ）が、システム情報の送信のために割り当てられたタイム・スロット４Ａ、４Ｊ内に位置付けられている。この場合、同期信号の平均電力は、図４Ａの検査信号４００に関して増加しており、したがって同期に費やされる時間は、検査信号４００によって達成される時間に対して、短縮されている。
【００２６】
同期シーケンス（ＦＳ、ＴＳ）は、例えば、同期シーケンスのビット・ストリング２０４が所望のタイム・スロット４Ａ、４Ｊ内に位置付けられるように、検査信号発生器１０２のメモリ・ユニット２０２のメモリ空間を指し示すことによって、システム情報の送信に割り当てられたタイム・スロット４Ａ、４Ｊ内に位置付けることができる。タイミングは、制御ユニット１４６の検査コマンド信号１４８に基づいて取ることができる。
【００２７】
メモリ・ユニット２０２は、シーケンス・ライブラリを収容することができ、これから、例えば、所望のシーケンスのインデックスをメモリ・ユニット２０２に供給することによって、所望の同期シーケンスを選定する。シーケンス・ライブラリの対応するシーケンスも、ワイヤレス・メッセージ通信装置１１２のメモリ１３６内に予め格納しておくことができる。
【００２８】
一実施形態では、移動通信システムが対応する周波数同期シーケンス（ＦＳ）を、システム情報の送信のために割り当てられたタイム・スロット４Ａ内に位置付ける。この場合、周波数同期シーケンスのビット・シーケンス２０４が、検査信号発生器１０２のメモリ・ユニット２０２から出力される。ワイヤレス・メッセージ通信装置１１２の無線周波数部１１８は、検査信号１０６を受信し、受信機１１４の同期ユニット１０８は、検査信号１０６から周波数同期シーケンスを特定する。この後、同期ユニット１０８は、周波数同期シーケンスによって、受信機１１４との周波数同期を取る。周波数同期シーケンスのビット・ストリング２０４のビットは、例えば、ゼロ・ビットであり、その場合、無線周波数部１１８によって出力される検査信号１０６は正弦波を含み、これによって、同期ユニット１１８は、例えば、それ自体のタイミングをチェックすることによって、周波数同期を実施する。周波数同期の結果として、受信機１１４は、検査信号１０６から、時間同期シーケンスに含まれるタイム・スロットのような、他の部分も特定し復調することができる。
【００２９】
一実施形態では、周波数同期シーケンスは、ＧＳＭ規格に準拠した周波数同期チャネル（ＦＣＣＨ）の訓練シーケンス・コードのビットから成り、これらのビットは、通例、ゼロである。ビット数は、例えば、１４８とするとよい。この場合、ＦＣＣＨチャネルは、ＢＣＣＨチャネルのタイム・スロット内に位置付けられる。これは、検査信号１０６においてＢＣＣＨバーストをＦＣＣＨバーストで置き換えることに対応する。
【００３０】
一実施形態では、移動通信システムが対応する時間同期シーケンス（ＴＳ）は、システム情報の送信のために割り当てられるタイム・スロット４Ａ、４Ｊ内に位置付けられる。この場合、時間同期シーケンス・ビット・ストリング２０４が、検査信号発生器１０２のメモリ・ユニット２０２から出力される。無線周波数部１１８は、検査信号１０６を受信し、そして同期ユニット１０８は、例えば、タイム・スロットの相対的位置に関する情報のような、周波数同期から受け取った結果を用いることによって、検査信号１０６から時間同期シーケンスを特定する。尚、この場合、本発明の解決策以外の周波数同期シーケンスによって、周波数同期シーケンスを特定しておいてもよいことは勿論である。この別の周波数同期シーケンスは、メッセージ通信システム規格に準拠したフレーム構造内に位置付けられる周波数同期シーケンスでもよい。続いて、同期ユニット１０８は、時間同期シーケンスによって、ビット及び／又はフレーム構造のような、検査信号１０６の時間構造を用いて、受信機１１４の時間同期を取り、恐らくは、多重フレーム構造において、検査信号１０６内で送信すべき、フレーム及びタイム・スロットの番号に関する情報を受信する。
【００３１】
一実施形態では、時間同期シーケンスは、ＧＳＭ規格に応じた同期チャネル（ＳＣＨ）を備えている。ビット数は、例えば、６４とするとよい。この場合、ＳＣＨチャネルはＢＣＣＨチャネルのタイム・スロット内に位置付けられる。これは、検査信号１０６において、ＢＣＣＨバーストをＳＣＨバーストで置き換えることに対応する。
【００３２】
一実施形態では、周波数同期シーケンス（ＦＳ）及び時間同期シーケンス（ＴＳ）は、周波数同期シーケンスに含まれるタイム・スロット４Ａと時間同期シーケンスに含まれるタイム・スロット４Ｊとの間の間隔が、タイム・スロットの前縁から数えて、８タイム・スロットとなるように、検査信号１０６内に位置付けられる。タイム・スロット４Ａ及び４Ｊの前縁は、太字の垂直線によって示されている。タイム・スロット４Ａ及び４Ｊの間に提示した間隔は、周波数同期シーケンスを収容するタイム・スロット４Ａ、及び時間同期シーケンスを収容するタイム・スロット４Ｊが、８タイム・スロット・フレーム構造において同じ地点に位置することに対応する。このため、例えば、ＧＳＭ規格で前提となっている、時間同期シーケンスを収容するタイム・スロット４Ａの位置に基づいて、時間同期シーケンスを収容するタイム・スロット４Ｊを特定することができる。
【００３３】
一実施形態において、検査信号発生器１０２は、同期信号１４２を同期ユニット１０８に、外部バス１４０を通じて送信し、同期信号によって、受信機１１４は部分的に同期が取られる。同期信号１４２は、例えば、周波数同期シーケンスを収容することができる。このような場合、検査信号１０６は、本解決策に応じた時間同期シーケンスを収容することができる。
【００３４】
図５Ａの例を参照すると、検査信号１０６は、５１フレームからなる少なくとも１つの多重フレーム５００を収容することがで、エレメント５Ａ〜６Ｌのようなエレメントは、８タイム・スロットＴＤＭＡ（時分割多重アクセス）フレームである。エレメント５Ａ〜５Ｌの構造は、図４Ａにおけるフレーム４０２、４０４のそれと同様でよい。フレームには、０タイム・スロットにおいて送信されるチャネルに基づいて、ＧＴＳＭ規格のチャネルを用いて、次のように名称が付けられている。
Ｆ＝周波数同期チャネル（ＦＣＣＨ）を含むＴＤＭＡフレーム
Ｓ＝同期チャネル（ＳＣＨ）を含むＴＤＭＡフレーム
Ｃ＝共通制御チャネル（ＣＣＣＨ）を含むＴＤＭＡフレーム
Ｂ＝ブロードキャスト制御チャネル（ＢＣＣＨ）を含むＴＤＭＡフレーム
【００３５】
図５Ｂの例では、同期シーケンスは、ＦＣＣＨチャネルがエレメント５ＣのフレームのＢＣＣＨチャネルのために割り当てられたタイム・スロット内に位置付けられるように、５１フレームの多重フレーム５０２内のシステム情報の送信のために割り当てられたタイム・スロットに位置付けられている。加えて、ＳＣＨチャネルが、エレメント５Ｄのフレーム内において、ＢＣＨチャネルのために割り当てられたタイム・スロット内に位置付けられている。更に、ＳＣＨチャネルが、エレメント５Ｄのフレーム内において、ＢＣＣＨチャネルのために割り当てられたタイム・スロット内に割り当てられている。この場合、５１フレーム多重フレームにおける同期シーケンスの数は、１０から１２に変化している。また、本発明によれば、ＦＣＣＨチャネル又はＳＣＨチャネルのいずれかを、ＢＣＣＨチャネルのために割り当てられたタイム・スロットの内１つのみに位置付けることにより、修正した５１フレーム多重フレーム内における同期シーケンスの数が少なくとも１１となるようにすることも実現可能である。
【００３６】
再度図１を参照する。一実施形態において、検査システム１００は、コンピュータ・プログラムをワイヤレス・メッセージ通信装置１１２にロードするローディング・ユニット１４４を備えている。コンピュータ・プログラムは、コンピュータ・プロセスを実行し、これによってワイヤレス・メッセージ通信装置１１４は本解決策にしたがって検査信号１０６を用いるように較正されている。コンピュータ・プロセスでは、ワイヤレス・メッセージ通信装置１１４は検査信号１０６を入力として受信し、検査信号１０６から同期シーケンスを特定し、同期シーケンスによって受信機１１２の同期を取る。
【００３７】
ローディング・ユニットは、例えば、制御ユニット１４６のメモリ手段からコンピュータ・プログラムをロードし、コンピュータ・プログラムを収容する信号１３８を、例えば、メッセージ通信装置１１２の外部バス１４０に送信する。外部バスから、信号はメッセージ通信装置１１２のメモリ１３６に送信される。このメモリは、例えば、ＦＬＡＳＨメモリである。コンピュータ・プログラムの必要な部分、即ち、その部分に対応する制御コマンドは、メモリ１３６から同期ユニット１０８及び特徴抽出ユニット１１６に送信される。
【００３８】
図６、図７及び図８を参照しながら、本発明の異なる実施形態をフロー・チャート表現として検討する。
ステップ６０２において、コンピュータ・プログラムをワイヤレス・メッセージ通信装置にロードする。該ステップ６０２においては、
検査信号を入力として受信するステップと、
検査信号から同期シーケンスを特定するステップと、
同期シーケンスによって受信機の同期を取るステップと
を含むコンピュータ・プロセスを実行する。
【００３９】
ステップ６０４において、検査信号を発生する。検査信号は、物理的タイム・スロットを収容し、その内の少なくとも１つが、移動通信システムの基地送受信局からメッセージ通信装置へのシステム情報の送信のために割り当てられている。
ステップ６０６において、移動通信システムが対応する同期シーケンスを、システム情報の送信のために割り当てられているタイム・スロットに位置付ける。
ステップ６０８において、検査信号を無線周波数に変換する。
【００４０】
ステップ６１０において、検査信号を無線周波数で受信機に送信する。ステップ６１０は、検査信号を送信するステップ６１０Ａと、検査信号を入力として受信するステップ６１０Ｂとを含み、検査信号は、物理的タイム・スロットを収容し、そのタイム・スロットの少なくとも１つは、移動通信システムの基地送受信局からメッセージ通信装置へのシステム情報の送信のために割り当てられており、同期シーケンスがこのタイム・スロットの中に位置付けられている。
【００４１】
ステップ６１２において、同期シーケンスを検査信号から特定する。
ステップ６１４において、同期シーケンスによって受信機の同期を取る。
ステップ６１６において、本方法は終了する。
【００４２】
図７を参照すると、本方法は７００において開始する。
ステップ７０２において、検査シーケンスを検査信号内に位置付ける。
ステップ７０４において、検査信号を受信する。
ステップ７０４において、検査信号から検査シーケンスを特定する。
ステップ７０８において、受信機を特徴付ける変数を、検査シーケンスによって発生する。
ステップ７１０において、受信機特徴付け変数を収容する信号を、ワイヤレス・メッセージ通信装置から送信する。
ステップ７１２において、受信機特徴付け変数を収容する信号を、ワイヤレス・メッセージ通信装置から受信する。
ステップ７１４において、本方法は終了する。
【００４３】
図８を参照すると、本方法は７１６において開始する。
ステップ７１８において、検査信号を入力として受信する。周波数同期シーケンスが、システム情報の送信のために割り当てられている、そのタイム・スロットの少なくとも１つの中に位置付けられている。
ステップ７２０において、検査信号から周波数同期シーケンスを特定する。
ステップ７２２において、周波数同期シーケンスによって、受信機の周波数同期を取る。
ステップ７２４において、検査信号を入力として受信する。時間同期シーケンスが、システム情報の送信のために割り当てられている、そのタイム・スロットの少なくとも１つの中に位置付けられている。
ステップ７２６において、検査信号から時間同期シーケンスを特定する。
ステップ７２８において、時間同期シーケンスによって、受信機の時間同期を取る。
ステップ７３０において、本方法は終了する。
【００４４】
本発明はまた、検査システムからワイヤレス通信装置にロードするコンピュータ・プログラムに関する。コンピュータ・プログラムによって実行するコンピュータ・プロセスの実施形態は、図６、図７及び図８のフロー・チャートから明白となる。
コンピュータ・プログラムは、ＣＤ（コンパクト・ディスク）、ハード・ディスク、ディスケット又は携帯用メモリ・ユニットのような、記憶手段に格納することができる。また、コンピュータ・プログラムは、インターネットのような情報ネットワークにおいて送信することができる信号によって、送信することもできる。
【００４５】
以上、添付図面にしたがって、例を参照しながら本発明について説明したが、本発明はそれに限定されるのではなく、添付した特許請求の範囲内において複数の方法で変更可能であることは自明である。
【図面の簡単な説明】
【００４６】
【図１】検査システムの構造の一例を示す図である。
【図２】検査システムの検査信号発生器の一例を示す図である。
【図３】検査システムの無線周波数ユニットの構造の一例を示す図である。
【図４Ａ】従来技術による検査信号の一例を示す図である。
【図４Ｂ】本発明の一実施形態による検査信号の一例を示す図である。
【図５Ａ】従来技術による検査信号の別の例を示す図である。
【図５Ｂ】本発明の一実施形態による検査信号の一例を示す図である。
【図６】本発明の実施形態による方法のフロー・チャートである。
【図７】本発明の実施形態による方法のフロー・チャートである。
【図８】本発明の実施形態による方法のフロー・チャートである。
【図１】
2007520130.tif 000003
【図２】
2007520130.tif 000004
【図３】
2007520130.tif 000005
【図４Ａ】
2007520130.tif 000006
【図４Ｂ】
2007520130.tif 000007
【図５Ａ】
2007520130.tif 000008
【図５Ｂ】
2007520130.tif 000009
【図６】
2007520130.tif 000010
【図７】
2007520130.tif 000011
【図８】
2007520130.tif 000012
【手続補正書】
【提出日】平成17年11月20日(2005.11.20)
【手続補正１】
【補正対象書類名】特許請求の範囲
【補正対象項目名】全文
【補正方法】変更
【補正の内容】
【特許請求の範囲】
【請求項１】
移動通信システムにおいてワイヤレス・メッセージ通信装置の受信機を検査する方法であって、
前記ワイヤレス・メッセージ通信装置の生成過程において、物理的タイム・スロットを含む検査信号を発生するステップであって、前記移動通信システムの基地送受信局から前記メッセージ通信装置へのシステム情報の送信のために、前記タイム・スロットの内少なくとも１つが割り当てられている、検査信号発生ステップ（６０４）を含み、
前記移動通信システムによってサポートされる同期シーケンスを、システム情報の送信のために割り当てられているタイム・スロット内に配置する（６０６）ステップを含んでいる
ことを特徴とする方法。
【請求項２】
請求項１記載の方法において、
前記検査信号を無線周波数に変換するステップ（６０８）と、
前記無線周波数で前記検査信号を前記受信機に送信するステップ（６１０）と
を含んでいることを特徴とする方法。
【請求項３】
請求項１記載の方法において、前記移動通信システムによりサポートされる周波数同期シーケンスを、システム情報の送信のために割り当てられているタイム・スロット内に配置するステップ（６０６）と、
前記検査信号から、前記周波数同期シーケンスを特定するステップ（７２０）と、
前記周波数同期シーケンスによって、前記受信機の周波数同期を取るステップ（７２２）と
を含んでいることを特徴とする方法。
【請求項４】
請求項１記載の方法において、
前記移動通信システムによってサポートされる時間同期シーケンスを、システム情報の送信のために割り当てられているタイム・スロット内に配置するステップ（６０６）と、
前記検査信号から、前記時間同期シーケンスを特定するステップ（７２６）と、
前記時間同期シーケンスによって、前記受信機の時間同期を取るステップ（７２８）と
を含んでいることを特徴とする方法。
【請求項５】
請求項１記載の方法において、
前記移動通信システムによってサポートされる周波数同期シーケンスを、システム情報の送信のために割り当てられている最初のタイム・スロット内に配置するステップ（６０６）と、
前記移動通信システムによってサポートされている時間同期シーケンスを、システム情報の送信のために割り当てられている２番目のタイム・スロット内に配置するステップであって、前記最初のタイム・スロットの前縁と前記２番目のタイム・スロットの前縁との間の間隔が８タイム・スロットとなるようにするステップ（６０６）と
を含んでいることを特徴とする方法。
【請求項６】
請求項１記載の方法において、
システム情報の送信のために割り当てられた複数のタイム・スロットを有する、５１フレームからなる多重フレームを含む検査信号を発生するステップ（６０４）と、
前記移動通信システムによってサポートされる同期シーケンスを、システム情報の送信のために割り当てられているタイム・スロット内に配置するステップであって、前記同期シーケンスを前記５１フレームからなる多重フレームにおいて少なくとも１１回繰り返すようにする、配置ステップ（６０６）と
を含んでいることを特徴とする方法。
【請求項７】
請求項１記載の方法において、
前記検査信号内に検査シーケンスを配置するステップ（７０２）と、
前記検査信号を受信するステップ（７０４）と、
前記検査信号から前記検査シーケンスを特定するステップ（７０６）と、
前記検査信号によって、前記受信機を特徴付ける変数を発生するステップ（７０８）と、
前記ワイヤレス・メッセージ通信装置から、前記受信機特徴付け変数を含んでいる信号を送信するステップ（７１０）と、
前記ワイヤレス・メッセージ通信装置からの前記受信機特徴付け変数を収容した信号を受信するステップ（７１２）と
を含んでいることを特徴とする方法。
【請求項８】
請求項１記載の方法において、前記移動通信システムによってサポートされる同期シーケンスを、システム情報の送信のために割り当てられているタイム・スロット内に配置するステップ（６０６）を含み、前記同期シーケンスは、ＧＳＭ規格に準拠する同期チャネル（ＳＣＨ）の訓練シーケンス・コード、ＧＳＭ規格に準拠する周波数相関チャネル（ＦＣＣＨ）のビットの内少なくとも１つを含んでいることを特徴とする方法。
【請求項９】
請求項１記載の方法において、前記受信機のアンテナ接続を介して、前記検査信号を前記受信機に送信するステップ（６１０）を含んでいることを特徴とする方法。
【請求項１０】
請求項１記載の方法において、該方法は、コンピュータ・プログラムをワイヤレス・メッセージ通信装置にローディングするステップ（６０２）を含み、前記コンピュータ・プログラムは、
前記検査信号を入力として受信するステップと、
前記検査信号から前記同期シーケンスを特定するステップと、
前記同期シーケンスによって前記受信機の同期を取るステップと
を含んでいるコンピュータ・プロセスを実行するよう構成されている
ことを特徴とする方法。
【請求項１１】
請求項１記載の方法において、
前記検査信号から前記同期シーケンスを特定するステップ（６１２）と、
前記同期シーケンスによって、前記受信機の同期を取るステップ（６１４）と
を含んでいることを特徴とする方法。
【請求項１２】
移動通信システムのワイヤレス・メッセージ通信装置の受信機を検査するシステムであって、
前記ワイヤレス・メッセージ通信装置の生成過程において検査信号（１０６）を発生する検査信号発生器であって、前記検査信号（１０６）は物理的タイム・スロット（４Ａ〜４Ｊ）を含み、該タイム・スロットの少なくとも１つ（４Ａ、４Ｊ）が、前記移動通信システムの基地送受信局から前記メッセージ通信装置（１１２）へのシステム情報の送信のために割り当てられる、検査信号発生器（１０２）を備え、
前記検査信号発生器（１０２）が、前記移動通信システムによってサポートされる同期シーケンスを、システム情報の送信に割り当てられているタイム・スロット（４Ａ、４Ｊ）内に配置するように構成されている
ことを特徴とするシステム。
【請求項１３】
請求項１２記載のシステムにおいて、該システムは更に、
前記検査信号発生器に接続され、前記検査信号（１０６）を無線周波数に変換する変換手段（１０４）と、
前記変換手段（１０４）に接続され、前記検査信号を前記無線周波数で前記受信機に送信する送信手段（１１０）と
を備えていることを特徴とするシステム。
【請求項１４】
請求項１３記載のシステムにおいて、前記送信手段（１１０）が前記ワイヤレス・メッセージ通信装置のアンテナ・コネクタに接続されていることを特徴とするシステム。
【請求項１５】
請求項１２記載のシステムにおいて、前記検査信号発生器（１０２）は、前記移動通信システムによってサポートされる時間同期シーケンス、前記移動通信システムによってサポートされる周波数同期シーケンスの一方を、システム情報の送信のために割り当てられているタイム・スロット（４Ａ、４Ｊ）内に配置するよう構成されていることを特徴とするシステム。
【請求項１６】
請求項１２記載のシステムにおいて、前記検査信号発生器（１０２）は、前記移動通信システムによってサポートされる周波数同期シーケンスを、システム情報の送信のために割り当てられている最初のタイム・スロット（４Ａ）内に配置するよう構成されており、
前記検査信号発生器（１０２）は、前記移動通信システムによってサポートされる時間同期シーケンスを、システム情報の送信のために割り当てられている２番目のタイム・スロット（４Ｊ）内に、１番目のタイム・スロットの前縁と２番目のタイム・スロットの前縁との間隔が８タイム・スロットとなるように配置するよう構成されている
ことを特徴とするシステム。
【請求項１７】
請求項１２記載のシステムにおいて、
前記検査信号発生器（１０２）は、５１フレームからなる多重フレーム（５００）を含む検査信号（１０６）を発生するように構成されており、前記５１フレームの多重フレームは、システム情報の送信のために割り当てられた複数のタイム・スロット（５Ｃ、５Ｄ）を有し、
前記検査信号発生器（１０２）は、前記移動通信システムによってサポートされる同期シーケンスを、システム情報の送信のために割り当てられているタイム・スロット（５Ｃ、５Ｄ）内に、前記同期シーケンスが前記５１フレームの多重フレーム内において少なくとも１１回繰り返すように配置するよう構成されている
ことを特徴とするシステム。
【請求項１８】
請求項１２記載のシステムにおいて、前記検査信号発生器（１０２）は、検査シーケンスを前記検査信号（１０６）内に配置するように構成されており、検査シーケンスから前記受信機は、該受信機を特徴付ける変数を発生するよう構成されていることを特徴とするシステム。
【請求項１９】
請求項１２記載のシステムにおいて、前記検査信号発生器（１０２）は、前記移動通信システムによってサポートされる同期シーケンスを、システム情報の送信のために割り当てられているタイム・スロット（４Ａ、４Ｊ）内に配置するよう構成されており、前記同期シーケンスは、ＧＳＭ規格に準拠した同期チャネル（ＳＣＨ）の訓練シーケンス・コード、ＧＳＭ規格に準拠した周波数訂正チャネル（ＦＣＣＨ）のビットの少なくとも１つを含んでいることを特徴とするシステム。
【請求項２０】
請求項１２記載のシステムにおいて、該システムは更に、前記ワイヤレス・メッセージ通信装置から、前記受信機を特徴付ける変数を収容する信号（１２６）を受信する接続ユニット（１３４）を備えていることを特徴とするシステム。
【請求項２１】
請求項１２記載のシステムにおいて、該システムは、コンピュータ・プログラムを前記ワイヤレス・メッセージ通信装置にロードするローディング・ユニット（１４４）を備えており、前記コンピュータ・プログラムは、
前記検査信号を入力として受信するステップと、
前記検査信号から前記同期シーケンスを特定するステップと、
前記同期シーケンスによって前記受信機の同期を取るステップと
を含んでいるコンピュータ・プロセスを実行するよう構成されていることを特徴とするシステム。
【請求項２２】
移動通信システムにおいてワイヤレス・メッセージ通信装置の受信機を検査するコンピュータ・プロセスを実行するコンピュータ・プログラムであって、前記コンピュータ・プロセスが、
前記ワイヤレス・メッセージ通信装置の生成段階において、物理的タイム・スロットを含む検査信号を入力として受信するステップであって、物理的タイム・スロットの少なくとも１つを、前記移動通信システムの基地送受信局から前記メッセージ通信装置へのシステム情報の送信のために割り当て、前記移動通信システムによってサポートされる同期シーケンスを、このタイム・スロットの中に配置する、ステップ（６１０Ｂ）と、
前記検査信号から前記同期シーケンスを特定するステップ（６１２）と、
前記同期シーケンスによって、前記受信機の同期を取るステップ（６１４）と
を含んでいることを特徴とするコンピュータ・プログラム。
【請求項２３】
請求項２２記載のコンピュータ・プログラムにおいて、前記コンピュータ・プロセスが、
前記検査信号を入力として受信するステップであって、システム情報の送信のために割り当てられているそのタイム・スロットの少なくとも１つの中に、周波数同期シーケンスを配置するステップ（７１８）と、
前記検査信号から前記周波数同期シーケンスを特定するステップ（７２０）と、
前記周波数同期シーケンスによって、前記受信機の周波数同期を取るステップ（７２２）と
を含んでいることを特徴とするコンピュータ・プログラム。
【請求項２４】
請求項２２記載のコンピュータ・プログラムにおいて、前記コンピュータ・プロセスが、
前記検査信号を入力として受信するステップであって、システム情報の送信のために割り当てられているそのタイム・スロットの少なくとも１つの中に、時間同期シーケンスが配置されている、ステップ（７２４）と、
前記検査信号から前記時間同期シーケンスを特定するステップ（７２６）と、
前記時間同期シーケンスによって、前記受信機の時間同期を取るステップ（７２８）と
を含んでいることを特徴とするコンピュータ・プログラム。
【請求項２５】
請求項２２記載のコンピュータ・プログラムにおいて、前記コンピュータ・プロセスが、
システム情報の送信のために割り当てられた複数のタイム・スロットを有する、５１フレームからなる多重フレームを含んでいる検査信号を入力として受信するステップであって、前記移動通信システムによってサポートされる同期シーケンスが、前記５１フレームの多重フレームにおける前記同期シーケンスの繰り返しを、７回、１１回の少なくとも一方の回数繰り返すよう、前記タイム・スロット内に配置されている、ステップ（６１０Ｂ）と、
前記同期シーケンスによって、前記受信機の同期を取るステップ（６１４）と
を含んでいることを特徴とするコンピュータ・プログラム。
【請求項２６】
請求項２２記載のコンピュータ・プログラムにおいて、前記コンピュータ・プロセスが、
検査シーケンスを含む検査信号を入力として受信するステップ（７０４）と、
前記検査信号から前記検査シーケンスを特定するステップ（７０６）と、
前記検査シーケンスによって、前記受信機を特徴付ける変数を発生するステップ（９０９）と、
前記受信機を特徴付ける変数を含む信号を、前記ワイヤレス・メッセージ通信装置の外部バスに出力するステップ（７１０）と
を含んでいることを特徴とするコンピュータ・プログラム。
【請求項２７】
請求項２２記載のコンピュータ・プログラムにおいて、前記コンピュータ・プロセスは、物理的タイム・スロットを収容する前記検査信号を入力として受信するステップ（６１０Ｂ）を含み、物理的タイム・スロットの少なくとも１つが、前記基地送受信局から前記メッセージ通信装置へのシステム情報の送信のために割り当てられており、前記移動通信システムによってサポートされる同期シーケンスを、前記タイム・スロットの中に配置し、前記同期シーケンスは、ＧＳＭ規格に準拠する同期チャネル（ＳＣＨ）の訓練シーケンス・コード、ＧＳＭ規格に準拠する周波数相関チャネル（ＦＣＣＨ）のビットの内少なくとも１つから成ることを特徴とするコンピュータ・プログラム。
【国際調査報告】
2007520130.tif 000013
2007520130.tif 000014
2007520130.tif 000015